(57)【要約】      （修正有）【課題】二重壁引出側板に、高さまたは側方調節のための保持／調節装置の、ドライバなどによる操作のため設けられた開口部を閉鎖するカバーを、紛失しないように開閉可能に側板に取り付ける。【解決手段】側板１内部の保持／調節装置への到達を可能にする少なくとも１個の開口を、好ましくは外側面に備え、開口はカバー部材２によって閉鎖可能であり、カバー部材２は引出側板１にスライドまたは回旋式に可動に支持されている引出側板、特に二重壁引出側板とする。通常時には、カバー部材２を開口を完全に閉鎖するポジションに位置させるため、バネ装置を設けてもよい。【選択図】  図３
2006068530.tif 000002
【特許請求の範囲】
【請求項１】
側板内部の保持／調節装置への到達を可能にする少なくとも１個の開口を外側面に備え、開口はカバー部材によって閉鎖可能であり、カバー部材は引出側板に可動式に支持されている引出側板であって、カバー部材（２）はあらゆる運動ポジションにおいて引出側板（１）と係留式に結合されていることを特徴とする引出側板。
【請求項２】
請求項１記載の引出側板において、
カバー部材（２）は、引出側板（１）にスライドし得るようにして支持されていることを特徴とする引出側板。
【請求項３】
請求項１または２記載の引出側板において、
カバー部材（２）は引出側板（１）に回旋式に支持されていることを特徴とする引出側板。
【請求項４】
請求項１から３までのいずれか１項に記載の引出側板おいて、
カバー部材（２）は案内溝（８）に沿って可動式に支持されていることを特徴とする引出側板。
【請求項５】
請求項４記載の引出側板において、
案内溝（８）は引出側板（１）自体に配置もしくは形成されていることを特徴とする引出側板。
【請求項６】
請求項４記載の引出側板において、
案内溝（８）は独立した部品として引出側板（１）に取り付けることのできるフレーム状の枠（７）に配置もしくは形成されていることを特徴とする引出側板。
【請求項７】
請求項１から６までのいずれか１項に記載の引出側板おいて、
引出側板（１）に対するカバー部材（２）の運動行程を少なくとも１方向、好ましくは両方向において制限する少なくとも１個のストッパ（１１）が設けられていることを特徴とする引出側板。
【請求項８】
請求項１から７までのいずれか１項に記載の引出側板おいて、
開口（４）は引出側板（１）の前端部に配置もしくは形成されていることを特徴とする引出側板。
【請求項９】
請求項１から８までのいずれか１項に記載の引出側板おいて、
カバー部材（２）は開状態において少なくとも部分的に引出側板（１）の内部に格納されていることを特徴とする引出側板。
【請求項１０】
請求項１から９までのいずれか１項に記載の引出側板おいて、
引出側板（１）の開口（４）を基本的に完全に掩蔽するポジションにカバー部材（２）を位置させる少なくとも１個のバネ装置（６）が設けられていることを特徴とする引出側板。
【発明の詳細な説明】
【技術分野】
【０００１】
本発明は、側板内部の保持／調節装置への到達を可能にすると共にカバー部材によって閉鎖可能な少なくとも１個の開口を好ましくは外側面に備えた引出側板、特に二重壁引出側板に関する。
【背景技術】
【０００２】
この種の側板はたとえば引出およびその他の引出しシステムの側面での案内および／または側方限界（引き出した際のストッパー）として使用される。側板の内部（好ましくは側板の末端部）には、他の側板、引出前板、引出背壁等との結合を行うための保持／調節装置が設けられていてよい。側板の内部に配置支持されたこれらの装置には、それらの操作時たとえば高さ調節ないし側方調節に際して、自由に接近到達することができなければならない。そのため、側板の側壁には、工具たとえばスクリュードライバの差込みを可能とする開口が設けられる。これらの開口には、外観をよくするために、開口に被装されて同所に掛着保持され、側板に所望の操作を実施する際には必要に応じて取り外すことのできるカバーが備えられる。この種のカバーの短所は、こうした調整を実施する間にカバーが容易に紛失されることがあり、あるいは時間が経つにつれて掛着装置の弾性が失われることによりカバーがきちんと開口に掛着保持されなくなることである。こうした場合には、カバーはもはや側板と面一をなして開口を閉鎖して閉じることができなくなり、部分的に開口から外れてしまい、最終的に完全に紛失されてしまうことが多い。
【発明の開示】
【発明が解決しようとする課題】
【０００３】
そこで、対象となる本発明の目的は、上記の短所を回避する、冒頭に述べた類のカバー部材を有した引出側板を提案することである。
【課題を解決するための手段】
【０００４】
前記目的は、カバー部材が引出側板に可動式に支持されることによって達成される。
【０００５】
本発明の好適な１実施形態において、カバー部材は引出側板に（例えば該側板の長手方向に沿って）スライドし得るようにして支持されている。これによりカバー部材をスライドさせて開口を開放し、工具の差込みを可能にすることができる。所要の操作が行なわれた後、カバー部材を再びスライドさせて開口を基本的に完全に閉鎖する閉ポジションに戻すことができ、こうして側板の好ましい外観が実現される。
【０００６】
可動式支持については、カバー部材が引出側板に回旋式に支持されるのも好適である。構造的な所与条件からして必要となる場合には、スライド式支持と引出側板に対するカバー部材の相対回旋式支持とを組合わせることも好適である。
【０００７】
さらに別の１実施例において、カバー部材は案内溝に沿って可動式に支持されている。この場合、カバー部材は、案内溝に係合するガイドピンを備えることにより、僅かな遊びで所定の溝をガイドされるようにすることができる。この場合、案内溝は引出側板自体に配置もしくは形成されているのが好適であり、これは側板の適切な曲げ加工ないし溝切り等の適切な加工によってすでに側板製造工程で実現することができる。同様に、独立した部品として引出側板に取り付けることのできるフレーム状の枠に案内溝を配置もしくは形成することも可能である。
【０００８】
引出側板に対するカバー部材の運動行程を少なくとも１方向、好ましくは両方向において制限する少なくとも１個のストッパが設けられているのが有利である。これによりカバー部材は所定の開閉範囲を有することとなり、こうして、ばね作用を行う装置の過度の伸びを防止することもできる。
【０００９】
カバー部材は開いた状態において少なくとも部分的に引出側板の内部に格納されているのが特に有利である。この場合、カバー部材は開く運動に際して徐々にスライドさせられて引出側板の内部に収納され、これにより、強い力を及ぼす物体による側板外側面でのカバー部材の剪断などの破損は効果的に防止されることとなる。
【００１０】
本発明のさらに別の有利な実施形態は、引出側板の開口を基本的に完全に閉鎖するポジションにカバー部材を位置させる為の少なくとも１個のバネ装置が設けられることによって実現される。この場合、バネ装置はカバー部材を閉じポジションに位置させるバネ力をカバー部材に付勢し、これにより、引出の開閉に際してカバー部材が動かないようにするのが有利である。バネ装置はカバー部材を開く運動行程内の任意のいかなるポジションからも、開口を完全に閉じる閉ポジションにもたらすことができるのが有利である。
【００１１】
本発明の有利な実施形態において、カバー部材はあらゆる運動ポジションにおいて引出側板と係留式に結合されている。
【発明を実施するための最良の形態】
【００１２】
以下、本発明のその他の詳細ならびに利点を、図面を参照し、各図の説明によって詳細に説明する。
【００１３】
図１ａと図１ｂとは従来の技術から公知の解決方法としてのカバー部材を示したものである。図１ａは図１ｂに示す１個または複数個の開口４を閉鎖して閉じるカバー部材２を示している。引出側板１の開口４は、引出側板１の内部に配置された図示しない保持／調節装置５に適切な工具を用いて到達し、該装置を何らかの操作するために設けられている。通例、カバー部材２はプラスチックで製造され、組付け状態において開口４の少なくとも一部への挿入による掛着によって、カバー部材２を引出側板１に固定する保持突起３を裏面に備えている。この場合の短所は、カバー部材２が紛失され易い点、ないし保持突起３が摩滅、欠損または弾性作用を喪失するともはや引出側板１への確実な固定が不可能となる点である。
【００１４】
図２ａは、引出側板１の外側面に設けられた１個または複数個の開口４を塞いで閉じる本発明によるカバー部材２を備えた引出側板１の透視図を示したものであり、また引出側板１の末端部の詳細を拡大して示した図である。図２ｂは引出側板１の正面図を示したものであり、同図において引出側板１の内部には保持／調節装置５が例示的に示唆されている。本願明細書においてこれらの保持／調節装置５にはこれ以上触れることはせず、したがってこれらの装置は従来の技術から公知のいっさいの装置を含むと解されてよい。図２ａは僅かな開ポジションにあるカバー部材２を示している。閉ポジションにおける嵌脱式保定を実現するため、弾性体として形成された係止突起９を設けることができる。要は、カバー部材２に係止部を設けておき、引出側板１の開口４の近傍の所定箇所にはこの係止部が嵌め外し可能となるようにしておくのである。
【００１５】
図３は開く運動時のカバー部材２の種々のポジションを時間的順序に従って示したものである。図３(ａ)は閉ポジションにあるカバー部材２を示しており、他方、図３(ｃ)は開ポジションにあるカバー部材２を示している。カバー部材２は引出側板１に該側板の長手方向に沿ってスライドし得るようにして支持されている。図から分かるように、カバー部材２は図３(ｃ)に示した開ポジションではその大部分が引出側板１の内部に格納されており、これによってカバー部材２は脇を通過する物体から保護され、したがってカバー部材の剪断などのよる破損は効果的に防止されることとなる。図３(ｃ)には、開閉バネとして形成されたバネ装置６も例示的に示されている。該バネ装置はカバー部材２を絶えずその閉ポジションの方向に引っ張るように設計されていてよい。カバー部材２を開ポジションに保持する必要がある場合には、図示しないそのための拘束装置を設けることができる。これにより、カバー部材２をバネ力に抗して絶えず手で開ポジションに保持する必要がなくなるために、引出側板２の調節作業は容易となる。
【００１６】
図４ａは、フレーム状の枠７の内部にスライド式かつ係留式に支持されているカバー部材２の１実施形態を例示したものである。フレーム状の枠７はプラスチックで形成されていてよく、独立した部品として引出側板１に取り付けることが可能である。カバー部材２をスライドし得るようにして支持するため、フレームの上下側にｓ字状に形成された案内溝８が設けられており、これによりカバー部材２は開閉運動時にスライドさせられて側板１の内部に格納される。図４ｂはフレーム状の枠７とカバー部材２とを互いに切り離して示したものである。正確なガイドと保持とを実現するため、組付け状態において所定の案内溝８に係合するピン１０が設けられている。これによりカバー部材２は前もって定められた所定の溝をガイドされることとなる。運動行程を制限するため、図示実施例においてフレーム状の枠７の側壁によって形成されるストッパ１１を設けることができる。完全な開じポジションにおいてカバー部材２の短辺側の端面はストッパ１１と連携する。
【００１７】
なお本発明は図示した実施例に制限されるものではなく、特許請求の範囲に該当し得る技術的に同等なものすべてを包括し、もしくはそれらの全てに及ぶものである。明細書の記述中で選択された位置の記載たとえば上方、下方、側方等は直前に説明ならびに図示した図面に関係しており、組付け状態が変更される場合には適宜新たな位置に転用されなければならない。好適な１実施例において、カバー部材２によって閉じるべき開口４は引出側板１の末端部に配置されているが、ただしカバー部材２は基本的に引出側板１のあらゆる箇所で、該側板の上側面でも、閉鎖されるべき開口の閉じて塞ぐことに使用することが可能である。
【図面の簡単な説明】
【００１８】
【図１ａ】従来の技術から公知の、引出側板に設けられた開口を掩蔽するための解決方法としてのカバー部材を示す図である。
【図１ｂ】図１ａの分解図である。
【図２ａ】本発明によるカバー部材を備える引出側板の１実施例を示す図であり、カバー部分の部分拡大図も示している。
【図２ｂ】図２ａのカバー部分の正面図である。
【図３】図３の(ａ)〜(ｃ)は本発明によるカバー部材の開運動時のポジションを時間的に配列して示す図である。
【図４ａ】フレームに設けられた案内溝によってガイドされる、本発明によるカバー部材の１実施形態を例示する図である。
【図４ｂ】図４ａの分解図である。
【図１ａ】
2006068530.tif 000003
【図１ｂ】
2006068530.tif 000004
【図２ａ】
2006068530.tif 000005
【図２ｂ】
2006068530.tif 000006
【図３】
2006068530.tif 000007
【図４ａ】
2006068530.tif 000008
【図４ｂ】
2006068530.tif 000009